(57)【特許請求の範囲】
【請求項１】
疑似隔板を形成するために少なくとも１つの隔板（１）に固定され得る隔板要素を建物の内側に構成するようになっている吸音アセンブリ（１０）であって、互いに平行であるとともに周囲が取付手段に組み付けられる２つのファブリック（１１，１２）を備え、前記ファブリック（１１，１２）は、前記吸音アセンブリが前記隔板に固定されるときに内側ファブリック（１２）と外側ファブリック（１１）とをそれぞれ規定し、前記ファブリック（１１，１２）のうちの一方には穿孔が無い、吸音アセンブリ（１０）において、
前記外側ファブリック（１１）が、前記内側ファブリック（１２）から所定の距離を隔てて配置されているとともに、音響ファブリックを形成するように配置される微小穿孔（２）を備え、
前記内側ファブリック（１２）が、前記外側ファブリック（１１）と前記隔板（１）との間に配置されるファブリックを構成する
ことを特徴とする吸音アセンブリ（１０）。
【請求項２】
前記内側ファブリック（１２）と前記外側ファブリック（１１）が、互いに３０〜２００ミリメートルの距離を隔てて配置されていることを特徴とする、請求項１に記載の吸音アセンブリ（１０）。
【請求項３】
前記内側ファブリック（１２）と前記外側ファブリック（１１）との間の距離が、約８０ミリメートルであることを特徴とする、請求項２に記載の吸音アセンブリ（１０）。
【請求項４】
前記外側ファブリック（１１）が、１０００微小穿孔／ｍ２よりも大きい微小穿孔密度を有することを特徴とする、請求項１〜３のいずれか一項に記載の吸音アセンブリ（１０）。
【請求項５】
前記外側ファブリック（１１）が、微小穿孔（２）の均一な分布を有することを特徴とする請求項１〜４のいずれか一項に記載の吸音アセンブリ（１０）。
【請求項６】
前記内側ファブリック（１２）が、半透明または透明であることを特徴とする、請求項１〜５のいずれか一項に記載の吸音アセンブリ（１０）。
【請求項７】
前記外側ファブリック（１１）が、半透明または透明であることを特徴とする、請求項１〜５のいずれか一項に記載の吸音アセンブリ（１０）。
【請求項８】
前記ファブリック（１１，１２）のうちの少なくとも一方が、ポリ塩化ビニルから形成されていることを特徴とする、請求項１〜６のいずれか一項に記載の吸音アセンブリ（１０）。
【請求項９】
請求項１〜８のいずれか一項に記載の少なくとも１つの吸音アセンブリ（１０）を備える疑似隔板。
【請求項１０】
前記吸音アセンブリ（１０）が、前記内側ファブリック（１２）を前記外側ファブリック（１１）から隔てる距離よりも大きい距離を前記隔板から隔てて前記内側ファブリック（１２）が配置されるように部屋の壁に装着されていることを特徴とする、請求項９に記載の疑似隔板。
【請求項１１】
バックライト付き疑似隔板を形成するように前記隔板と前記吸音アセンブリ（１０）の前記内側ファブリック（１２）との間に配置される発光手段（５０，５１，５２）を備えることを特徴とする、請求項９または１０に記載の疑似隔板。
【発明の詳細な説明】
【技術分野】
【０００１】
本発明は、疑似隔板、特に吊天井および疑似壁の分野に関する。特に、本発明は、疑似隔板を形成するための吸音アセンブリに関係する。
【０００２】
アセンブリは、特に、例えば電気ケーブルや配管などの非審美的な装備を隠すだけでなく音響挙動を制御することが必要な例えばアパートやコンサートホールなどの建物の内側に配置されるようになっているが、そうであるとは限らない。
【０００３】
また、アセンブリは、発光疑似隔板を形成するために発光手段とともに使用されるようになっている。
【背景技術】
【０００４】
従来、疑似隔板は、部屋の壁または天井に固定され得るフレームと、これらのフレーム上でテンションが掛けられる柔軟な層とから形成される。テンションが掛けられた柔軟な層を用いて形成される従来技術の疑似隔板は、様々な環境でその使用が益々増えるにもかかわらず、音響特性が低いという重大な欠点を有する。テンションが掛けられた層は、実際には、音波を反射し、その結果、音波の大きな反響（またはエコー）現象を発生させる。
【０００５】
この欠点を克服するために、微小穿孔を備える柔軟な層を設けて、吸音を高め、したがって、音波の反射を軽減することが従来技術から知られている。しかしながら、微小穿孔付きの層は、空気、塵埃、および水分を通すという欠点を有する。また、微小穿孔の存在は、汚れを生じさせる空気の通過を許容する。
【０００６】
微小穿孔付きの層のこれらの欠点を克服しようと試みるべく、欧州特許第２０７８７９６号明細書では、開口が無い第１のファブリックと穿孔した第２のファブリックとから構成される柔軟な層が提案された。前記ファブリックは、重ね合されるとともに、レールと協働できる取付手段に周囲が組み付けられる。第２のファブリック（微小穿孔付きファブリック）は、第１のファブリック（開口が無いファブリック）に対して、部屋の内側から見える側に置かれるように配置される。
【０００７】
したがって、開口が無いファブリックの存在により、不透過性の問題が解決される。それにもかかわらず、開口が無いファブリックの存在は、テンションが掛けられた層の音響性能全体に影響を与える。特に３００Ｈｚを上回る音声周波数においては、テンションが掛けられた層の吸音率の低下が実際に観察され、その吸音率は満足できない値（０．３５を下回る）に達する。
【０００８】
また、少なくとも１つの隔板要素を筐体の内側に形成するようになっている吸音アセンブリも欧州特許第２４７２０１８号明細書から知られており、このアセンブリは、微小穿孔が設けられた少なくとも２つの支持体と、微小穿孔を備えない支持体とを備え、微小穿孔を備えない支持体は、部屋の内側から見える側に配置される。記載される音響アセンブリは満足できる効果を有するが、３００Ｈｚを上回る音声周波数においてアセンブリの音響性能の低下が観察され、その低下は、３００Ｈｚを超える周波数において０．３５未満の吸音率に達する。
【発明の概要】
【発明が解決しようとする課題】
【０００９】
本発明は、広範囲の周波数にわたって、特に３００Ｈｚを上回る周波数において満足できる音響特性を与える密閉アセンブリを提案することによってこれらの問題を改善することを目的とする。
【００１０】
満足できる音響特性とは、アセンブリが０．３５以上の音波の吸音率を有することを意味する。
【課題を解決するための手段】
【００１１】
この目的のため、第１の態様によれば、本発明は、疑似隔板を形成するために少なくとも１つの隔板に固定され得る隔板要素を建物の内側に構成するようになっている吸音アセンブリであって、互いに平行であるとともに周囲が取付手段に組み付けられる２つのファブリックを備え、ファブリックのうちの一方には穿孔が無く、前記ファブリックが、アセンブリが隔板に固定されるときに内側ファブリックと外側ファブリックとをそれぞれ規定する、吸音アセンブリにおいて、外側ファブリックが、内側ファブリックから所定の距離を隔てて配置されるとともに、音響ファブリックを形成するように配置される微小穿孔を備えることを特徴とする吸音アセンブリを提案する。
【００１２】
表現“外側ファブリック”は、アセンブリが壁隔板または天井に固定されるときに部屋から見えるファブリックを意味し、また、“内側ファブリック”は、外側ファブリックと壁隔板または天井との間に配置されるファブリックを意味する。
【００１３】
また、微小穿孔は、５ミリメートル未満の直径を有する穿孔を意味する。好ましい実施形態によれば、微小穿孔は０．１ミリメートル未満の直径を有する。
【００１４】
したがって、驚くべきことに、微小穿孔を有さないファブリック（開口が無いファブリック）と、微小穿孔が無いファブリックから所定の距離を隔てて部屋の目に見える側に配置される微小穿孔があるファブリックとの組み合わせは、３００Ｈｚを上回る周波数において、０．３５の係数を超えて音響特性を向上させる。
【００１５】
したがって、本発明に係る吸音アセンブリは、広範囲の周波数で満足できる音響特性を有する密閉疑似隔板をもたらすことができるようにする。
【００１６】
想起された疑似隔板のタイプによれば、隔板要素がフレームを備える或いは備えない。第１の形態において、２つのファブリックは、吊り下げタイプの固定システムを介して、隠されるべき隔板に取り付けられるようになっているフレームに固定される。第２の形態において、２つのファブリックは、レールを用いて２つの隔板との間でテンションが掛けられて直接に固定される。
【００１７】
好適には、内側ファブリックと外側ファブリックは、互いから３０〜２００ミリメートル、好ましくは約８０ミリメートルの距離を隔てて配置される。
【００１８】
好適には、外側ファブリックは、１００微小穿孔／ｍ２よりも大きい微小穿孔密度を有する。
【００１９】
好適には、外側ファブリックは、微小穿孔の均一な分布を有する。
【００２０】
好適には、内側ファブリックを半透明または透明となるようにする。同様に、外側ファブリックを半透明または透明となるようにしてもよい。
【００２１】
好適には、ファブリックのうちの少なくとも一方がポリ塩化ビニルから形成される。
【００２２】
また、本発明は、前述した少なくとも１つの吸音アセンブリを備える疑似壁隔板または吊天井タイプの疑似隔板に関する。
【００２３】
好適には、内側ファブリックを外側ファブリックから隔てる距離よりも大きい距離を隔板から隔てて内側ファブリックが配置されるように吸音アセンブリが建物の隔板に装着されるようにする。
【００２４】
好適には、疑似隔板は、隔板と吸音アセンブリの内側ファブリックとの間に配置される発光手段を備える。有利な実施形態によれば、内側ファブリックと外側ファブリックが半透明である。そのような構成の利点は、満足できる音響挙動を与えるバックライト付き疑似隔板を形成することであり、その場合、内側ファブリックは、その半透明性に起因して発光手段を覆い隠しつつ光の拡散をもたらし、外側ファブリックは、それが微小穿孔を備えるとともに内側ファブリックから所定の距離を隔てて配置されるため、音響挙動を与える。
【００２５】
疑似隔板が吊天井を構成する特定の実施形態では、前記アセンブリの内側ファブリックが部屋天井の隔板と１５０〜２５０ミリメートルの距離を隔てて略平行に延びるように吸音アセンブリを配置するようにしてもよい。
【００２６】
本発明の他の目的および利点は、添付図面に関連して与えられる以下の説明中に明らかになる。
【図面の簡単な説明】
【００２７】
【図１】本発明に係る吸音アセンブリを備える吊天井の部分概略断面図を描く。
【図２】放射される音声周波数にしたがった図１の音響アセンブリの吸音の変化を示すグラフである。
【図３】本発明の変形実施形態に係る吊天井の部分図を示す。
【発明を実施するための形態】
【００２８】
図１に関連して、部屋の天井１に固定される吊天井について説明する。吊天井は、本発明に係る吸音アセンブリ１０を備える。
【００２９】
記載される実施形態において、アセンブリ１０は、互いから所定の距離Ｄ１を隔てて互いに平行に配置される好ましくはポリ塩化ビニル（ＰＶＣ）から形成される２つの張力が付与されたファブリック１１，１２を備える。“密閉”アセンブリを提供するため、前記ファブリック１１，１２は、レールまたはフレーム（図示せず）などの取付手段を用いて周囲が密閉して組み付けられる。ファブリック１１，１２は、アセンブリ１０が固定される隔板１（ここでは、天井１）と平行に延びる。図示の実施形態において、音響アセンブリ１０は、隔板１に固定される支持体５自体に固定される。好適には、支持体５および取付手段は一体に形成される。しかしながら、本発明の範囲から逸脱することなく、支持体５が固定手段とは別個の部品を形成するようになってもよい。
【００３０】
図示の実施形態では、上ファブリック１２がいわゆる内側ファブリックを構成し、一方、部屋から見える下ファブリック１１がいわゆる外側ファブリックを構成する。言い換えると、大まかに言えば、外側ファブリック１１は、部屋の内側と同じ側に配置されるファブリックを構成し、一方、内側ファブリックは、外側ファブリック１１と、疑似隔板が固定される隔板、この場合には天井１との間に配置されるファブリックを構成する。
【００３１】
吊天井を形成するために、記載される例においてファブリックが使用されるようになっている場合には、外側ファブリック１１が下ファブリックとも称され、また、内側ファブリック１２が上ファブリックとも称される。
【００３２】
本発明によれば、外側ファブリック１１（または下ファブリック）は、自動的に吸音するファブリックを形成するためにファブリック上に配置されて分布される微小穿孔２を備える。既に示唆されたように、微小穿孔は、２ミリメートル以下の直径を有する任意の穿孔を意味する。
【００３３】
有利な実施形態によれば、下ファブリックは、１０００微小穿孔／ｍ２よりも大きい穿孔密度を有する。無論、本発明がそのような密度に限定されず、部屋の所要の音響挙動にしたがって密度が調整されてもよいことは言うまでもない。
【００３４】
また、好適には、部屋内の音源の位置にかかわらずファブリックの同一の音響挙動を確保するために、微小穿孔がファブリック上にわたって均一に分布される。
【００３５】
内側ファブリック１２（または、上ファブリック）は、開口が無いファブリック、すなわち、穿孔または微小穿孔を有さないファブリックである。好適には、ファブリック１２は防塵である。
【００３６】
微小穿孔が無いファブリック１２の下側に配置される微小穿孔があるファブリック１１の存在は、特に３００Ｈｚよりも大きい放射音声周波数で、アセンブリ１０にとって満足な音響特性を保つ。
【００３７】
図３に示されるグラフは、このようにして配置されるアセンブリ１０の吸音スペクトルを示す。
【００３８】
好適には、２つのファブリック１１，１２との間の距離Ｄ１は３０〜２００ミリメートルである。記載される実施形態では、外側ファブリック１１が天井から約２００ミリメートルの距離Ｄ２にあるような高さで天井の下側にアセンブリ１０を固定するために、内側ファブリック１２が外側ファブリック１１から約８０ミリメートルの距離Ｄ１に設けられる。無論、これは一実施形態であり、他の配置がなされてもよい。しかしながら、アセンブリ１０の満足な音響性能を確保するために、微小穿孔があるファブリックと微小穿孔が無いファブリックとの間に与えられる距離Ｄ１よりも大きい距離を天井から隔てて微小穿孔が無い内側ファブリック１２が配置されるようにアセンブリ１０の配置を行なうことが有益である。
【００３９】
図示の実施形態では、音響アセンブリが“覆われる”べき隔板（この場合には、天井１）に固定される。無論、本発明の範囲から逸脱することなく、“覆われる”べき隔板に隣接する隔板に対して音響アセンブリ１０を固定するようにしてもよいことは言うまでもない。
【００４０】
また、記載される実施形態では、上ファブリック１２（または内側ファブリック）が半透明である。変形実施形態によれば、内側ファブリックが透明である。このタイプのファブリックの使用は、半透明であろうと透明であろうと、パターンを伴って或いは伴わずに、好適には、下ファブリック１１と上ファブリック１２との間または上ファブリック１２と天井との間のそれぞれに設けられる残存空間３，４内に特定の発光手段を設けることによって、審美的な発光効果をもたらすことができるようにする。
【００４１】
図３は、上ファブリック１２と天井１との間に設けられる残存空間４内の発光手段５０，５１，５２の存在を示す。図示の実施形態において、発光手段５０，５１，５２は、天井１に固定され、天井から距離を隔てて固定され、支持体５上にも固定される。無論、本発明の範囲から逸脱することなく、発光手段の位置に関して本発明がこの形態に限定されず、任意の他の配置がなされてもよいことは言うまでもない。同様に、図３では、天井から距離を隔てて配置される発光手段５１が天井１に対して同じ高さで示される。無論、本発明の範囲から逸脱することなく、天井に対して互いに異なる高さで発光手段を配置させることができることは言うまでもない。同様に、図示の実施形態では、発光手段５０，５１が天井１に対して個別に固定される。無論、本発明の範囲から逸脱することなく、発光手段が共通のベースを用いて天井に固定されてもよいことは言うまでもない。発光手段５０，５１，５２を覆い隠すために、上ファブリック１２が半透明であることが有益である。
【００４２】
以上においては、本発明が一例として説明される。当然ながら、当業者は、本発明の範囲から逸脱することなく、本発明の様々な変形実施形態を実施できる立場にある。
［発明の項目］
［項目１］
疑似隔板を形成するために少なくとも１つの隔板に固定され得る隔板要素を建物の内側に構成するようになっている吸音アセンブリ（１０）であって、互いに平行であるとともに周囲が取付手段に組み付けられる２つのファブリック（１１，１２）を備え、前記ファブリック（１１，１２）は、前記吸音アセンブリが前記隔板に固定されるときに内側ファブリック（１２）と外側ファブリック（１１）とをそれぞれ規定し、前記ファブリック（１１，１２）のうちの一方には穿孔が無い、吸音アセンブリ（１０）において、
前記外側ファブリック（１１）が、前記内側ファブリック（１２）から所定の距離を隔てて配置されているとともに、音響ファブリックを形成するように配置される微小穿孔（２）を備えることを特徴とする吸音アセンブリ（１０）。
［項目２］
前記内側ファブリック（１２）と前記外側ファブリック（１１）が、互いに３０〜２００ミリメートルの距離を隔てて配置されていることを特徴とする、項目１に記載の吸音アセンブリ（１０）。
［項目３］
前記内側ファブリック（１２）と前記外側ファブリック（１１）との間の距離が、約８０ミリメートルであることを特徴とする、項目２に記載の吸音アセンブリ（１０）。
［項目４］
前記外側ファブリック（１１）が、１０００微小穿孔／ｍ２よりも大きい微小穿孔密度を有することを特徴とする、項目１〜３のいずれか一項に記載の吸音アセンブリ（１０）。
［項目５］
前記外側ファブリック（１１）が、微小穿孔（２）の均一な分布を有することを特徴とする項目１〜４のいずれか一項に記載の吸音アセンブリ（１０）。
［項目６］
前記内側ファブリック（１２）が、半透明または透明であることを特徴とする、項目１〜５のいずれか一項に記載の吸音アセンブリ（１０）。
［項目７］
前記外側ファブリック（１１）が、半透明または透明であることを特徴とする、項目１〜５のいずれか一項に記載の吸音アセンブリ（１０）。
［項目８］
前記ファブリック（１１，１２）のうちの少なくとも一方が、ポリ塩化ビニルから形成されていることを特徴とする、項目１〜６のいずれか一項に記載の吸音アセンブリ（１０）。
［項目９］
項目１〜８のいずれか一項に記載の少なくとも１つの吸音アセンブリ（１０）を備える疑似隔板。
［項目１０］
前記吸音アセンブリ（１０）が、前記内側ファブリック（１２）を前記外側ファブリック（１１）から隔てる距離よりも大きい距離を前記隔板から隔てて前記内側ファブリック（１２）が配置されるように部屋の壁に装着されていることを特徴とする、項目９に記載の疑似隔板。
［項目１１］
バックライト付き疑似隔板を形成するように前記隔板と前記吸音アセンブリ（１０）の前記内側ファブリック（１２）との間に配置される発光手段（５０，５１，５２）を備えることを特徴とする、項目９または１０に記載の疑似隔板。
【図１】
0006318387.tif 000002
【図２】
0006318387.tif 000003
【図３】
0006318387.tif 000004